(57)【特許請求の範囲】
【請求項１】
円筒部材と、磁性材料の軸方向側壁部材とを互いに固定してなる一側のケース状トルク伝達部材と、これに貫入した他側の軸状トルク伝達部材と、前記円筒部材と軸状トルク伝達部材との間に配置された多板式のクラッチと、ケース状トルク伝達部材の内部で前記クラッチに隣接配置されたアーマチャと、前記軸方向側壁部材とクラッチとアーマチャとで形成される磁気回路を介してアーマチャを移動操作し、クラッチを断続する電磁石とを備え、前記電磁石のヨークは前記軸方向側壁部材に設けられた凹部に貫入して配置され前記軸方向側壁部材との間にエアギャップを形成すると共に、前記エアギャップが形成された前記電磁石のヨークの外周面と前記軸方向側壁部材の内周面との間、及び前記電磁石のヨークの内周面と前記軸方向側壁部材との間に磁気回路が構成され、前記電磁石の励磁によって生じる磁束ループの磁束が透過し、前記軸方向側壁部材の外周側の端面は前記ケース状トルク伝達部材の円筒部の端面より軸方向に突出して設けられ、前記軸方向側壁部材の内周面の幅が前記電磁石のヨークの前記磁気回路の一部を構成する外周面の幅より広く設定され前記磁気回路の一部としての所定の断面積を確保されており、前記軸方向側壁部材には、前記クラッチと軸方向に対向して開口が設けられると共に、前記開口に隣接して非磁性体のリングが配置されていることを特徴とするカップリング。
【請求項２】
請求項１記載のカップリングであって、前記電磁石のヨークは前記軸方向側壁部材にベアリング支持され、前記エアギャップが形成された前記軸方向側壁部材の外周面は前記電磁石のヨークの内周面の端部より軸方向に突出して前記ベアリングに当接していることを特徴とするカップリング。
【請求項３】
請求項１又は請求項２記載のカップリングであって、磁束ループの磁束が透過する前記電磁石のヨークにおける前記外周面と前記内周面は、前記電磁石のコイルの半径方向外側と内側に位置して前記軸方向側壁部材の前記内周面と前記外周面と対向していることを特徴とするカップリング。
【請求項４】
請求項１乃至請求項３のいずれか一項に記載のカップリングであって、前記軸方向側壁部材における前記内周面及び前記外周面の幅は、前記電磁石のヨークにおける前記磁気回路の一部を構成する前記外周面及び前記内周面の幅より十分に広く形成されていることを特徴とするカップリング。
【請求項５】
請求項１乃至請求項４のいずれか一項に記載のカップリングであって、ケ−ス状トルク伝達部材の円筒部材と軸方向側壁部材が、互いに螺着されており、該螺着された部分より前記軸方向側壁部材の外周側の端面は軸方向に突出して設けられていることを特徴とするカップリング。
【発明の詳細な説明】
【技術分野】
【０００１】
この発明は、電磁石で操作されるカップリングに関する。
【背景技術】
【０００２】
特開平５−３１２２２６号公報に図２のようなカップリング２０１（油圧式動力伝達継ぎ手）が記載されている。
【０００３】
このカップリング２０１は、入力軸２０３、出力側のハウジング２０５、これらの相対回転によって駆動され、その駆動抵抗（ポンプ仕事）によってこれらを連結するプランジャポンプ２０７、オリフィスと開放孔、これらのオリフィス及び開放孔をプランジャポンプ２０７の吐出路と連通させ、あるいは、閉止するア−マチャ２０９（アクチュエ−タ）、ア−マチャ２０９を回転方向の一側に付勢するリタ−ンスプリング２１１、入力軸２０３に連結され、ア−マチャ２０９との間で摩擦抵抗を発生させる摩擦部材２１３、リタ−ンスプリング２１１に抗してア−マチャ２０９を回転させる電磁石２１５などから構成されている。
【０００４】
電磁石２１５は、コイル２１７とヨ−ク２１９から構成されている。ヨ−ク２１９は、ハウジング２０５の外部で静止側のケ−シングに連結されており、ハウジング２０５側に連結された磁気枠２２１に設けられた凹部２２３に貫入している。
【０００５】
ハウジング２０５はアルミニウムやステンレス鋼のような非磁性材料で作られており、磁気枠２２１は鉄系の磁性材料で作られている。
【０００６】
破線で描いたように、コイル２１７、ヨ−ク２１９、磁気枠２２１、摩擦部材２１３、ア−マチャ２０９によって電磁石２１５の磁気回路が構成されており、電磁石２１５を励磁すると、これらを通る磁気ル−プ２２５が生じる。
【０００７】
電磁石２１５の励磁を停止した状態では、リタ−ンスプリング２１１によってア−マチャ２０９が一側に回転する。この回転角度では、開放孔が閉止されてオリフィスがプランジャポンプ２０７の吐出路と連通し、オリフィスの流路抵抗によって生じるプランジャポンプ２０７の駆動抵抗により、カップリング２０１が連結される。
【０００８】
この状態では、オリフィスを流れるオイルの適度な流路抵抗により、差動回転を許容しながら動力が伝達される。
【０００９】
又、電磁石２１５を適度な電流で軽度に励磁すると、ア−マチャ２０９が摩擦部材２１３に押圧されて入力軸２０３のトルクを受け、リタ−ンスプリング２１１に抗して回転し、開放孔とオリフィスの両方が閉止される。
【００１０】
この状態では、開放孔とオリフィスの両方を閉止したことによってプランジャポンプ２０７の吐出路に生じる大きな流路抵抗により、カップリング２０１が強固に連結され、入力軸２０３とハウジング２０５がロックされ、差動回転は許容されない。
【００１１】
又、電磁石２１５を大電流で強く励磁すると、入力軸２０３のトルクによってア−マチャ２０９が更に回転し、開放孔がプランジャポンプ２０７の吐出路と連通する。
【００１２】
この状態では、プランジャポンプ２０７の駆動抵抗が小さくなり、カップリング２０１の連結が解除される。
【００１３】
又、図３は、カップリング２０１と異なった構成のカップリング２２７を示している。
【００１４】
このカップリング２２７は、回転ケ−ス２２９、回転ケ−ス２２９に貫入した軸状トルク伝達部材、これらの間に配置されたメインクラッチ及びコントロ−ルクラッチ、回転ケ−ス２２９の内部に配置されたア−マチャ、回転ケ−ス２２９の外部からこのア−マチャを移動させる電磁石２３１、カムなどから構成されている。
【００１５】
回転ケ−ス２２９は、非磁性材料の円筒部材２３３と、磁性材料のロ−タ部材２３５とを螺着して形成されており、ロ−タ部材２３５に設けられたシ−ル溝２３７にはＯリング２３９が配置され、オイル漏れを防止している。
【００１６】
電磁石２３１はロ−タ部材２３５に設けられた凹部２４１に貫入しており、電磁石２３１を励磁するとロ−タ部材２３５とコントロ−ルクラッチとア−マチャとを通る磁気ル−プ２４３が形成され、ア−マチャを吸引してコントロ−ルクラッチを押圧する。
【００１７】
コントロ−ルクラッチが連結されると、回転ケ−ス２２９と軸状トルク伝達部材の間の伝達トルクを受けてカムが作動し、メインクラッチを連結させ、カップリング２２７を連結させる。
【発明の開示】
【発明が解決しようとする課題】
【００１８】
しかし、図２のカップリング２０１では、磁気回路を形成する電磁石２１５のヨ−ク２１９と磁気枠２２１との対向部分で、磁気枠２２１の幅がヨ−ク２１９より狭い。
【００１９】
この磁気枠２２１とヨ−ク２１９との間のように、磁気回路の断面積が急に狭くなる部分が生じると、狭い磁気回路部分（磁気枠２２１）で単位面積当たりの磁束密度が高くなり、磁束の漏洩がそれだけ増加し易い。
【００２０】
漏洩磁束が増えると、ア−マチャ２０９の吸引力がそれだけ低下し、カップリング２０１の制御機能が低下する。これを補うためには、磁気回路の断面積を拡大する必要があり、これに伴ってカップリング２０１が大型化し、車載性が低下する。
【００２１】
又、図３のカップリング２２７では、矢印２４５のように、ロ−タ部材２３５に設けられたＯリング２３９用のシ−ル溝２３７によって、磁気回路の断面積が狭くなっているから、ア−マチャの吸引力が低下し、カップリング２２７のトルク容量が小さくなる。
【００２２】
これを補うためには、ロ−タ部材２３５を大径にするか、あるいは、軸方向に大きくして、シ−ル溝２３７を磁気回路から充分に離す必要があり、これに伴ってカップリング２２７が大型化し、重量が増加し、車載性が低下する。
【００２３】
又、円筒部材２３３とロ−タ部材２３５とを螺着する際に、Ｏリング２３９に無理な力が掛かって破損する恐れがある。
【００２４】
そこで、この発明は、磁気回路の磁気抵抗を小さくすることにより、大型の電磁石を用いずに、充分なトルク容量が得られるカップリングの提供を目的とする。
【課題を解決するための手段】
【００２５】
請求項１のカップリングは、円筒部材と、磁性材料の軸方向側壁部材とを互いに固定してなる一側のケース状トルク伝達部材と、これに貫入した他側の軸状トルク伝達部材と、前記円筒部材と軸状トルク伝達部材との間に配置された多板式のクラッチと、ケース状トルク伝達部材の内部で前記クラッチに隣接配置されたアーマチャと、前記軸方向側壁部材とクラッチとアーマチャとで形成される磁気回路を介してアーマチャを移動操作し、クラッチを断続する電磁石とを備え、前記電磁石のヨークは前記軸方向側壁部材に設けられた凹部に貫入して配置され前記軸方向側壁部材との間にエアギャップを形成すると共に、前記エアギャップが形成された前記電磁石のヨークの外周面と前記軸方向側壁部材の内周面との間、及び前記電磁石のヨークの内周面と前記軸方向側壁部材との間に磁気回路が構成され、前記電磁石の励磁によって生じる磁束ループの磁束が透過し、前記軸方向側壁部材の外周側の端面は前記ケース状トルク伝達部材の円筒部の端面より軸方向に突出して設けられ、前記軸方向側壁部材の内周面の幅が前記電磁石のヨークの前記磁気回路の一部を構成する外周面の幅より広く設定され前記磁気回路の一部としての所定の断面積を確保されており、前記軸方向側壁部材には、前記クラッチと軸方向に対向して開口が設けられると共に、前記開口に隣接して非磁性体のリングが配置されていることを特徴とする。
【００２６】
請求項１のカップリングは、前記軸方向側壁部材の外周側の端面は前記ケース状トルク伝達部材の円筒部の端面より軸方向に突出して設けられ、前記軸方向側壁部材の内周面の幅が前記電磁石のヨークの外周面の幅より広く設定されていることにより、電磁石に対向する軸方向側壁部材の磁気回路部分で磁気回路の断面積が狭くなることと、磁束密度が急に大きくなることが防止され、磁束の漏洩が軽減される。
【００２７】
こうして、電磁石の磁力がア−マチャに効果的に集中するから、カップリングは充分なトルク容量が得られる。
【００２８】
従って、カップリングの大型化と重量化が防止され、省電力化が可能である。
【００２９】
請求項２のカップリングは、請求項１記載のカップリングであって、前記電磁石のヨークは前記軸方向側壁部材にベアリング支持され、前記エアギャップが形成された前記軸方向側壁部材の外周面は前記電磁石のヨークの内周面の端部より軸方向に突出して前記ベアリングに当接していることを特徴とする。
【００３０】
請求項２のカップリングは、ヨークが軸方向側壁部材にベアリング支持され、軸方向側壁部材の外周面がベアリングに当接しているので、ヨークは軸方向側壁部材に安定して支持される。
【００３１】
請求項３のカップリングは、請求項１又は請求項２記載のカップリングであって、磁束ループの磁束が透過する前記電磁石のヨークにおける前記外周面と前記内周面は、前記電磁石のコイルの半径方向外側と内側に位置して前記軸方向側壁部材の前記内周面と前記外周面と対向していることを特徴とする。
【００３２】
請求項３のカップリングは、請求項１又は請求項２のカップリングと同様に、磁束の漏洩が軽減されるから、カップリングは充分なトルク伝達容量が得られ、大型化と重量化が防止され、省電力化される。
【００３３】
請求項４のカップリングは、請求項１乃至請求項３のいずれか一項に記載のカップリングであって、前記軸方向側壁部材におけるの前記内周面及び前記外周面の幅は、前記電磁石のヨークにおける前記磁気回路の一部を構成する前記外周面及び前記内周面の幅より十分に広く形成されていることを特徴とする。
【００３４】
又、請求項４のカップリングは、電磁石に対向するデフケ−スの磁気回路部分を電磁石より十分に広くしたことによって、磁束の漏洩が軽減されるから、充分な連結力が得られ、大型化と重量化が防止され、車載性が向上し、省電力化される。
【００３５】
請求項５の発明は、請求項１乃至請求項４のいずれか一項に記載のカップリングであって、ケ−ス状トルク伝達部材の円筒部材と軸方向側壁部材が、互いに螺着されており、該螺着された部分より前記軸方向側壁部材の外周側の端面は軸方向に突出していることを特徴とし、請求項１乃至請求項４のいずれかと同等の効果を得る。
【００３６】
これに加えて、円筒部材と軸方向側壁部材とを螺着するこの構成では、ねじ部でこれらの相対位置を調整することにより、多板式のクラッチのクラッチ板の隙間を調整することが可能であり、このような調整によって、アーマチャの吸引力を最大にすることができる。
【００３７】
こうして、カップリングのトルク容量や締結機能を最適の状態に調整することができると共に、電磁石を更に小型にし、省電力化することが可能である。
【発明の効果】
【００４０】
請求項１のカップリングは、前記軸方向側壁部材の外周側の端面は前記ケース状トルク伝達部材の円筒部の端面より軸方向に突出して設けられ、前記軸方向側壁部材の内周面の幅が前記電磁石のヨークの外周面の幅より広く設定されていることにより、磁気回路が狭くなり磁束密度が大きくなることが防止されるから、磁束の漏洩が軽減され、電磁石の磁力がア−マチャに効果的に導かれる。
【００４１】
従って、カップリングは充分なトルク容量が得られるから、カップリングの大型化と重量化が防止され、車載性が向上し、省電力化される。
【００４２】
請求項２のカップリングは、請求項１と同等の効果を得ると共に、ヨークが軸方向側壁部材に対して安定して支持される。
【００４３】
請求項３のカップリングは、請求項１又は請求項２のカップリングと同等の効果を得る。
【００４４】
請求項４のカップリングは、デフケ−スの磁気回路部分を電磁石の対向面より十分に広くしたことにより、請求項１、２のカップリングと同等の効果を得る。
【００４５】
請求項５のカップリングは、請求項１乃至請求項４のいずれかと同等の効果を得ると共に、円筒部材と軸方向側壁部材とのねじ部で、クラッチ板の隙間を調整することによって、カップリングのトルク容量や締結機能を最適の状態に調整することができると共に、電磁石を更に小型にし、省電力化することができる。
【００４６】
又、螺着によって円筒部材と軸方向側壁部材が強固に連結される。
【発明を実施するための最良の形態】
【００４９】
図１によって本発明の一実施形態（カップリング１）を説明する。
【００５０】
図１はカップリング１を示しており、図１の右方はカップリング１を用いた四輪駆動車の前方に相当する。又、符号を与えていない部材等は図示されていない。
【００５１】
このカップリング１は後輪側の動力伝達系に配置されており、後輪の連結と切り離しとを行う。
【００５２】
エンジンの駆動力は、トランスミッションからトランスファを介して前輪側と後輪側に伝達される。前輪側に伝達された駆動力はフロントデフ（エンジンの駆動力を左右の前輪に配分するデファレンシャル装置）に伝達され、フロントデフから左右の前輪に配分される。又、後輪側に伝達された駆動力はプロペラシャフトを介してカップリング１に伝達される。
【００５３】
カップリング１が連結されると、車両は四輪駆動状態になり、エンジンの駆動力はリヤデフ（エンジンの駆動力を左右の後輪に配分するデファレンシャル装置）に伝達され、リヤデフを介して左右の後輪に配分される。
【００５４】
又、カップリング１の連結が解除されると、リヤデフ以下の後輪側動力伝達系が切り離されて車両は二輪駆動状態になる。
【００５５】
カップリング１は、リヤデフを収容するデフキャリヤの前端側に配置されており、回転ケ−ス３（一側のケ−ス状トルク伝達部材）、インナ−シャフト（他側の軸状トルク伝達部材）、多板式のメインクラッチ、多板式のコントロ−ルクラッチ５、カムリング７、ボ−ルカム９、プレッシャプレ−ト、ア−マチャ１１、リング状の電磁石１３、コントロ−ラなどから構成されている。
【００５６】
回転ケ−ス３は、前側のロ−タ１５（軸方向側壁部材）と円筒部材１７と後側のロ−タとから構成されている。
【００５７】
前側ロ−タ１５と円筒部材１７の間にはねじ部１９とストッパ部２１とが設けられており、前側ロ−タ１５と円筒部材１７はねじ部１９で螺着されて一体にされ、ストッパ部２１で突き当って位置決めされている。
【００５８】
円筒部材１７と後側のロ−タは、例えば、連結部によって回転方向に連結され、スナップリングと突き当て部によって軸方向に位置決めされている。
【００５９】
ロ−タ１５は鉄系の磁性材料で作られており、円筒部材１７はアルミニウムのような非磁性材料で作られている。
【００６０】
又、円筒部材１７にはシ−ル溝２３が設けられており、シ−ル溝２３にはＯリング２５（シ−ル）が配置され、オイル漏れと異物の侵入とを防止している。
【００６１】
前側ロ−タ１５には連結シャフト部２７が一体に形成されており、この連結シャフト部２７にはコンパニオンフランジがセレ−ションで連結されている。このコンパニオンフランジは継ぎ手側のフランジに連結され、更に、後輪側のプロペラシャフトに連結されている。
【００６２】
電磁石１３はコイル２９とこれを収容するヨ−ク３１とで構成されている。ヨ−ク３１にはフランジ部３３が設けられており、このフランジ部３３はボルトによってデフキャリヤの開口に固定されている。
【００６３】
コイル２９のリ−ド線はヨ−ク３１から外部に直接引き出されている。
【００６４】
又、ロ−タ１５の連結シャフト部２７はベアリング３５とヨ−ク３１とを介してデフキャリヤに支承されている。
【００６５】
インナ−シャフトは後側のロ−タから回転ケ−ス３に貫入し、ベアリングを介して回転ケ−ス３に支承されている。
【００６６】
又、インナ−シャフトには、ドライブピニオンシャフトがスプライン連結されており、このドライブピニオンシャフトに形成されたドライブピニオンギヤは、リヤデフ側のリングギヤと噛み合っている。
【００６７】
又、回転ケ−ス３は、ロ−タ１５と円筒部材１７間のＯリング２５と、他の部材間に配置されたシ−ルによって密封されており、内部に封入されたオイルによって、メインクラッチ、コントロ−ルクラッチ５、ボ−ルカム９、ベアリングなどが潤滑される。
【００６８】
メインクラッチは、回転ケ−ス３（円筒部材１７）の内周とインナ−シャフトの外周との間に配置されている。
【００６９】
コントロ−ルクラッチ５は、円筒部材１７の内周とカムリング７の外周との間に配置されており、下記のように、ア−マチャ１１によって回転ケ−ス３のロ−タ１５に押圧されて締結される。
【００７０】
ボ−ルカム９は、カムリング７とプレッシャプレ−トとの間に配置されている。又、カムリング７とロ−タ１５との間には、ボ−ルカム９のカム反力を受けるスラストベアリング３７が配置されている。
【００７１】
プレッシャプレ−トは、インナ−シャフトの外周に軸方向移動自在に連結されている。
【００７２】
ア−マチャ１１は、コントロ−ルクラッチ５とプレッシャプレ−トとの間で、円筒部材１７の内周に軸方向移動自在に連結されている。
【００７３】
電磁石１３のヨ−ク３１は、ロ−タ１５に設けられている凹部３９に貫入して、エアギャップ４１を形成している。
【００７４】
コイル２９、ヨ−ク３１、ロ−タ１５、コントロ−ルクラッチ５、ア−マチャ１１によって電磁石１３の磁気回路が構成されており、電磁石１３を励磁すると、これらを通る磁気ル−プ４３が生じる。
【００７５】
又、ロ−タ１５には開口４５が設けられており、この開口４５にはステンレス鋼のような非磁性材料のリング４７が配置されている。更に、コントロ−ルクラッチ５の各クラッチ板には切り欠き４９が形成されている。これらの開口４５とリング４７とこの切り欠き４９によって磁力ル−プ４３の短絡が防止されており、電磁石１３の磁力をア−マチャ１１に効果的に導いている。
【００７６】
コントロ−ラは、車速、操舵角、横Ｇなどから旋回走行を検知し、あるいは、路面状態などに応じて、電磁石１３の励磁、励磁電流の制御、励磁停止などを行う。
【００７７】
電磁石１３が励磁されると、磁力ル−プ４３によってア−マチャ１１が吸引され、ロ−タ１５との間でコントロ−ルクラッチ５を押圧して締結させる。コントロ−ルクラッチ５が締結されると、回転ケ−ス３とインナ−シャフトの間のトルクが掛かってボ−ルカム９が作動し、生じたカムスラスト力によりプレッシャプレ−トを介してメインクラッチが押圧され締結される。
【００７８】
こうしてカップリング１が連結されると、エンジンの駆動力が後輪に送られ、車両は四輪駆動状態になり、悪路などの走破性や、車体の安定性が向上する。
【００７９】
電磁石１３の励磁電流を制御すると、コントロ−ルクラッチ５の滑りによってボ−ルカム９のカムスラスト力が変化し、メインクラッチの連結力が変化して後輪に送られる駆動力が調整される。
【００８０】
このようにして、前後輪間の駆動力配分比を制御すると、例えば、旋回走行中の車両の操縦性や安定性などが向上する。
【００８１】
電磁石１３の励磁を停止すると、コントロ−ルクラッチ５が開放されてボ−ルカム９のカムスラスト力が消失し、メインクラッチが開放されてカップリング１の連結が解除され、車両は二輪駆動状態になる。
【００８２】
又、磁気回路の一部を構成するロ−タ１５の凹部３９の幅５１は、これと対向する電磁石１３の磁気回路部分の幅５３より充分に広くされている。
【００８３】
従って、図２の従来例と異なり、磁気回路の断面積が急に狭くなって磁束密度が大きくなることが防止され、磁束の漏洩が大幅に軽減されるから、電磁石１３の磁力はア−マチャ１１に効果的に集中する。
【００８４】
こうして、カップリング１が構成されている。
【００８５】
上記のように、カップリング１は、ロ−タ１５の凹部３９（磁気回路部分）の幅５１を、電磁石１３の幅５３（磁気回路部分）より広くしたことにより、図２の従来例と異なって、磁気回路の断面積が狭くなることと、この個所で磁束密度が大きくなることが防止されるから、磁束の漏洩が軽減され、電磁石１３の磁力がア−マチャ１１に効果的に集中する。
【００８６】
又、シ−ル溝２３を非磁性の円筒部材１７に設けたことによって、図３の従来例と異なり、磁気回路の断面積が狭くなることが防止される。
【００８７】
従って、カップリング１は充分なトルク容量が得られる。
【００８８】
又、磁気回路が狭くなることを防止するために、シ−ル溝２３を磁気回路から遠くに離す必要がないから、これに伴ってロ−タ１５を大径にし、あるいは、軸方向に大きくする必要がない。
【００８９】
こうして、カップリング１は大型化と重量化が防止され、車載性が向上すると共に、消費電力の上昇も避けられる。
【００９０】
又、ロ−タ１５と円筒部材１７とを螺着するこの構成では、ねじ部でこれらの相対位置を調整することにより、メインクラッチやコントロ−ルクラッチ５のクラッチ板の隙間を調整することが可能であり、あるいは、電磁石１３のヨ−ク３１とロ−タ１５とのエアギャップ４１を調整することが可能である。
【００９１】
これらの調整によってカップリング１のトルク容量を最適の状態に調整することが可能であると共に、電磁石１３を更に小型にし、省電力化することが可能である。
【００９２】
又、螺着によってロ−タ１５と円筒部材１７が強固に連結される。
【００９３】
なお、請求項１の発明は、カムによってクラッチの押圧力を増幅するものではなく、電磁石により移動操作されるア−マチャによって押圧されるクラッチでトルク伝達部材の連結を断続するカップリングである。
【００９４】
又、請求項１と請求項２のカップリングは、上記のように、四輪駆動車のトランスファと後輪側プロペラシャフトとの間、あるいは、トランスファと前輪側プロペラシャフトとの間、又は、前輪側プロペラシャフトとフロントデフとの間に配置してもよい。
【００９７】
又、本発明において、シ−ルは、Ｏリングに限らず、他のシ−ルでもよい。  
又、クラッチは多板クラッチに限らず、例えば、コ−ンクラッチのような摩擦クラッチでもよい。
【図面の簡単な説明】
【００９８】
【図１】一実施形態のカップリングを示す断面図である。
【図２】第１の従来例を示す断面図である。
【図３】第２の従来例を示す断面図である。
【符号の説明】
【００９９】
１  カップリング
３  回転ケ−ス（一側のケ−ス状トルク伝達部材）
５  コントロ−ルクラッチ（摩擦クラッチ）
９  ボ−ルカム（カム）
１１  ア−マチャ
１３  電磁石
１５  回転ケ−スのロ−タ（磁性材料）
１７  回転ケ−スの円筒部材（非磁性材料）
１９  ねじ部
２３  円筒部材１７に設けられたシ−ル溝
２５  Ｏリング（シ−ル）
３１  電磁石１３のヨ−ク
【図１】
0004674227.tif 000002
【図２】
0004674227.tif 000003
【図３】
0004674227.tif 000004